(57)【要約】【課題】  発射モータ、弾球槌、発射レールをユニット化しつつ安定した弾球を得ることができる遊技機を提供する。【解決手段】  発射ユニット１１は、弾球槌１２と、発射モータ１３と、発射レール１４とが、取付板１５に一体となって組み付けられている。取付板１５からは、発射レール１４を取付板１５に固定するための円筒状のボス部２０が３本突設されている。発射レール１４には、発射レール１４を取付板１５に固定するためのねじ孔１９が、貫通して穿設されている。発射レール１４のねじ孔１９に対応する位置には、ボス部２０を挿入するための孔部（図示外）が取付板１５側の金属部側面と樹脂部材を貫通して設けられている。ボス部２０にワッシャ２２を嵌めてからを孔部に挿入し、ねじ孔１９からボス部２０の固定孔２１にビス２３を締着させることにより、発射レール１４は取付板１５に固定される。【選択図】  図３
2006296733.tif 000002
【特許請求の範囲】
【請求項１】
遊技球を遊技領域に向けて発射する発射装置と、当該発射装置から発射される遊技球の発射方向を案内する発射レールとを取付板に一体に取り付けた発射ユニットを備えた遊技機において、
前記発射レールは、当該発射レールに穿設された複数の係合孔にビスを貫通させ、前記取付板に突出形成された突起部の固定孔にねじ込んで固定することにより前記取付板に取り付けられ、
前記発射レールと前記取付板との間に隙間を設けたことを特徴とする遊技機。
【請求項２】
前記突起部にワッシャを嵌挿することにより、前記発射レールと前記取付板との間に隙間を設けたことを特徴とする請求項１に記載の遊技機。
【請求項３】
前記発射レールの短手方向の長さよりも前記突起部の突起の長さを長くすることにより、前記発射レールと前記取付板との間に隙間を設けたことを特徴とする請求項１に記載の遊技機。
【請求項４】
遊技球を遊技領域に向けて発射する発射装置と、当該発射装置から発射される遊技球の発射方向を案内する発射レールとを取付板に一体に取り付けた発射ユニットを備えた遊技機において、
前記発射レールと前記取付板との間に振動吸収部材を設けたことを特徴とする遊技機。
【請求項５】
前記振動吸収部材は、ゴムにより形成されていることを特徴とする請求項４に記載の遊技機。
【請求項６】
前記振動吸収部材は、粘着テープであることを特徴とする請求項４に記載の遊技機。
【発明の詳細な説明】
【技術分野】
【０００１】
本発明は、遊技機の発射装置に関するものである。
【背景技術】
【０００２】
一般に、遊技機の一例としてのパチンコ機は、遊技球を遊技領域内に打ち入れるために、発射モータ、弾球槌、発射レール等からなる発射装置を備えている。この発射装置の構成を大別すると、発射レールが他の構成要素と分離され独立して設けられているものと、発射モータ、弾球槌、発射レールがユニット化され一体となって設けられているものとに分けられる。
【０００３】
前者の発射装置は、パチンコ機の組み立てメーカーにおいて発射装置を組み付ける際に、遊技球が精度よく遊技領域内に発射されるよう、発射レールと弾球槌の槌先を合わせる微調整が必要となり、高度な組み立て技術を要し、作業性が悪いという問題がある。このような作業性の悪さを改善するために、後者のようなユニット化した発射装置が考案され、発射レールと弾球槌の槌先を合わせる作業が省力化されている（例えば、特許文献１参照）。
【特許文献１】特開２００１ー１１２９４１号公報
【発明の開示】
【発明が解決しようとする課題】
【０００４】
しかしながら、発射モータ、弾球槌、発射レールがユニット化された発射装置を採用した場合、弾球槌と発射レールが一体に形成されているため、遊技球を弾球した後の振動が発射レールに比較的伝わりやすく、安定した弾球を得ることが難しくなる場合があるという問題が発生した。
【０００５】
本発明は上記問題を解決するためになされたものであり、発射モータ、弾球槌、発射レールをユニット化しつつ、安定した弾球を得ることができる遊技機を提供することを目的とする。
【課題を解決するための手段】
【０００６】
上記目的を達成するために、本発明の請求項１に記載の遊技機は、遊技球を遊技領域に向けて発射する発射装置と、当該発射装置から発射される遊技球の発射方向を案内する発射レールとを取付板に一体に取り付けた発射ユニットを備えた遊技機において、前記発射レールは、当該発射レールに穿設された複数の係合孔にビスを貫通させ、前記取付板に突出形成された突起部の固定孔にねじ込んで固定することにより前記取付板に取り付けられ、前記発射レールと前記取付板との間に隙間を設けたことを特徴とする。
【０００７】
また、本発明の請求項２に記載の遊技機は、請求項１に記載の発明の構成に加え、前記突起部にワッシャを嵌挿することにより、前記発射レールと前記取付板との間に隙間を設けたことを特徴とする。
【０００８】
また、本発明の請求項３に記載の遊技機は、請求項１に記載の発明の構成に加え、前記発射レールの短手方向の長さよりも前記突起部の突起の長さを長くすることにより、前記発射レールと前記取付板との間に隙間を設けたことを特徴とする。
【０００９】
また、本発明の請求項４に記載の遊技機は、遊技球を遊技領域に向けて発射する発射装置と、当該発射装置から発射される遊技球の発射方向を案内する発射レールとを取付板に一体に取り付けた発射ユニットを備えた遊技機において、前記発射レールと前記取付板との間に振動吸収部材を設けたことを特徴とする。
【００１０】
また、本発明の請求項５に記載の遊技機は、請求項４に記載の発明の構成に加え、前記振動吸収部材が、ゴムにより形成されていることを特徴とする。
【００１１】
また、本発明の請求項６に記載の遊技機は、請求項４に記載の発明の構成に加え、前記振動吸収部材が、粘着テープであることを特徴とする。
【発明の効果】
【００１２】
本発明の請求項１に記載の遊技機は、発射装置と発射レールとが一体に取り付けられた発射ユニットにおいて、発射装置が取り付けられている取付板と発射レールとの間に隙間を設けたので、取付板と発射レールとが密着して固定された場合に比べて、発射装置により遊技球が発射された際の振動が発射レールに伝わりにくくなり、安定した弾球を得ることができる。
【００１３】
また、本発明の請求項２に記載の遊技機は、請求項１に記載の発明の効果に加え、発射レールを取り付けるための突起部にあらかじめワッシャを嵌挿しておくので、取付板と発射レールとは、ワッシャを介してのみ密着することになる。すなわち、その他の部分については、ワッシャの厚み分だけ、取付板と発射レールとの間に隙間ができることとなり、安価で簡単に遊技球が発射された際の振動を発射レールに伝えにくくすることができ、安定した弾球を得ることができる。
【００１４】
また、本発明の請求項３に記載の遊技機は、請求項１に記載の発明の効果に加え、発射レールを取り付けるための突起部が発射レールの短手方向の長さよりも長く形成されているので、突起部を発射レールに設けた孔部に挿入して取り付ける場合に、突起部以外の部分には、突起部が長くなっている分だけ取付板と発射レールとの間に隙間ができることとなる。従って、部品点数を増やしたり組み立て作業を複雑化することなく、遊技球が発射された際の振動を発射レールに伝えにくくすることができ、安定した弾球を得ることができる。
【００１５】
また、本発明の請求項４に記載の遊技機は、発射装置と発射レールとが一体に取り付けられた発射ユニットにおいて、発射装置が取り付けられている取付板と発射レールとの間に振動吸収部材を設けたので、発射装置により遊技球が発射された際の振動は、発射レールに伝わる前に振動吸収部材により吸収されるため、振動により弾球のぶれが出ることが少なくなり、安定した弾球を得ることができる。
【００１６】
また、本発明の請求項５に記載の遊技機は、請求項４に記載の発明の効果に加え、振動吸収部材が、ゴムにより形成されているので、安価で簡単に遊技球が発射された際の振動を発射レールに伝えにくくすることができ、安定した弾球を得ることができる。
【００１７】
また、本発明の請求項６に記載の遊技機は、請求項４に記載の発明の効果に加え、振動吸収部材として、粘着テープを発射レールと取付板の間に貼付したので、安価で簡単に遊技球が発射された際の振動を発射レールに伝えにくくすることができ、安定した弾球を得ることができる。
【発明を実施するための最良の形態】
【００１８】
次に本発明を実施するための最良の形態について図面を参照して説明する。図１は、パチンコ機１の正面図である。
【００１９】
まず、図１に示すように、本発明の遊技機であるパチンコ機１は、縦長の矩形状に枠組み形成された機枠２と、機枠２の一側にヒンジ機構により開閉自在に装着され、上部中央に遊技球が流下する遊技領域１０を有する本体枠３とを備えている。遊技領域１０には、遊技球が入賞する各種の役物や、装飾用の電飾ランプ、ＬＥＤ、風車、多数の障害釘等(図示外)が設けられている。本体枠３の前面には、遊技領域１０を保護する前面枠４と、遊技球を供給し、かつ賞品球を受ける上皿５を有する上部皿扉６と、賞品球を受ける下皿７を有する下部皿扉８とが、それぞれ開閉自在に軸支されて構成されている。また、下部皿扉８には、遊技者が遊技球を遊技領域１０に向けて発射するための発射ハンドル９が設けられている。
【００２０】
上部皿扉６の後方には、発射ハンドル９の操作を受けて、遊技球を遊技領域に向けて発射する発射装置を備えた発射ユニット１１が配設されている。
【００２１】
ここで、図２〜図４を参照して発射ユニット１１について説明する。図２は、上皿扉を開放したパチンコ機１の発射装置周辺を拡大した正面図である。図３は、発射ユニット１１の分解斜視図である。図４は、発射ユニット１１の平面図である。
【００２２】
図２に示すように、発射ユニット１１は、遊技者の発射ハンドル９の操作に従って、発射位置に置かれた遊技球を打撃して発射させる弾球槌１２と、弾球槌１２を駆動する発射モータ１３と、弾球槌１２により発射された遊技球を遊技盤上に案内する発射レール１４とが、１枚の金属板により形成された取付板１５に一体となって組み付けられている。弾球槌１２と発射レール１４とは取付板１５の一方の面に配設され、発射モータ１３は、取付板１５の他方の面の、弾球槌１２の裏側にあたる部分に配設されている。
【００２３】
また、図３に示すように、発射ユニット１１の取付板１５からは、発射レール１４を取付板１５に固定するための円筒状のボス部２０が３本突設されている。そして、ボス部２０には、円筒の中心にビス２３をねじ込むための固定孔２１が形成されている。また、ボス部２０には、発射レール１４と取付板１５とが密着する面積をできるだけ少なくするために、ワッシャ２２が嵌挿されている。
【００２４】
発射レール１４は、遊技球を保持するために上面に浅いＶ字状のガイド溝を有し、断面略Ｍ字状で長尺に形成された金属製のレールが、同様に長尺に形成された樹脂部材を覆うようにして形成されている。
【００２５】
また、発射レール１４には、発射レール１４を取付板１５に固定するためのねじ孔１９が、金属部分と樹脂部材とを貫通して穿設されている。さらに、発射レール１４のねじ孔１９に対応する位置には、ボス部２０を挿入するための孔部（図示外）が取付板１５側の金属部側面と樹脂部材を貫通して設けられている。ボス部２０を孔部に挿入し、ねじ孔１９からボス部２０の固定孔２１にビス２３を締着させることにより、発射レール１４は取付板１５に固定される。
【００２６】
また、本実施形態の発射ユニット１１では、前述のように、ボス部２０にワッシャ２２が嵌められた状態で、ビス２３が締着される。従って、図４に示すように、発射レール１４は、取付板１５に側面の全体が密着することなく、ワッシャ２２が発射レール１４及び取付板１５に接触する以外の部分では、ワッシャ２２の厚み分だけ、発射レール１４と取付板１５との間には隙間２４が形成されることとなる。
【００２７】
従って、遊技球が弾球槌１２により打撃された際の振動は、ワッシャ２２を介してのみ発射レール１４に伝えられる。よって、従来のように、発射レール１４の側面の全体が取付板１５に密着している構成に比べ、発射レール１４に振動が伝わりにくいため、遊技球の飛び精度を高精度で実現することができ、信頼度の高いパチンコ機１を提供することができる。
【００２８】
尚、ここで使用するワッシャ２２としては、通常の金属ワッシャ、スプリングワッシャ、波ワッシャ、防振ゴムワッシャ、圧縮バネ等を好適に用いることができる。このような安価で周知のワッシャを用いることで、簡単に本発明の構成を実現でき、防振効果を実現することができる。
【００２９】
ところで、上記実施形態では、発射レール１４と取付板１５との間に隙間２４を設けるためにワッシャ２２をボス部２０に嵌めているが、隙間２４を設ける方法は、ワッシャ２２を用いるものに限られない。例えば、ボス部２０の高さを調整することにより隙間２４を設けることもできる。このような第二実施形態について、図５及び図６を参照して説明する。
【００３０】
図５は、第二実施形態の発射ユニット１１の分解斜視図である。図６は、第二実施形態の発射ユニット１１の平面図である。図５に示すように、発射ユニット１１の全体の構成は上記第一の実施形態と略同様である。但し、第二実施形態では、ワッシャ２２をボス部２０に嵌挿していない。
【００３１】
また、第二実施形態では、ボス部２０の突設されている長さＨは、ボス部２０を発射レール１４の孔部に挿入したときに、発射レール１４の側面全体が取付板１５に密着しないように、発射レール１４の短手方向の幅Ｉよりも長く形成されている。
【００３２】
従って、ボス部２０を発射レール１４の孔部に挿入し、ねじ孔１９からボス部２０の固定孔２１にビス２３を締着させると、図６に示すように、発射レール１４と取付板１５との間は、ボス部２０を介してのみ接触することになり、その他の部分については、隙間２４が形成されることとなる。
【００３３】
従って、遊技球が弾球槌１２により打撃された際の振動は、ボス部２０を介してのみ発射レール１４に伝えられる。よって、従来のように、発射レール１４の側面の全体が取付板１５に密着している構成に比べ、発射レール１４に振動が伝わりにくいため、遊技球の飛び精度を高精度で実現することができ、信頼度の高いパチンコ機１を提供することができる。また、第二実施形態では、ボス部２０の突出部分の長さを調整するだけで、部品点数を増加する必要もなく、組み立て時の作業も複雑にならずに、本発明の構成を実現でき、防振効果を実現することができる。
【００３４】
また、発射レール１４と取付板１５との間に隙間を設ける別の構成として、取付板１５に窓部を設けて隙間となるようにしてもよい。このような第三実施形態について、図７及び図８を参照して以下に説明する。図７は、第三実施形態の発射ユニット１１の分解斜視図である。図８は、第三実施形態の発射ユニット１１の平面図である。
【００３５】
図７に示すように、発射ユニット１１の全体の構成は第一実施形態と略同様である。そして、取付板１５に三本突設されているボス部２０とボス部２０との間の取付板１５には、二箇所の窓部２７が形成されている。この窓部２７は、発射レール１４を取付板１５に固定したときに、発射レール１４の側面と対向する位置になる。従って、ボス部２０を発射レール１４の孔部に挿入し、ねじ孔１９からボス部２０の固定孔２１にビス２３を締着させると、図８に示すように、発射レール１４と取付板１５との間は、窓部２７が隙間となって、ボス部２０とその近傍のみが接触することになる。
【００３６】
従って、遊技球が弾球槌１２により打撃された際の振動は、ボス部２０とその近傍の取付板１５を介してのみ発射レール１４に伝えられる。よって、従来のように、発射レール１４の側面の全体が取付板１５に密着している構成に比べ、発射レール１４に振動が伝わりにくいため、遊技球の飛び精度を高精度で実現することができ、信頼度の高いパチンコ機１を提供することができる。また、第三実施形態では、取付板１５に窓部２７を形成するだけで、部品点数を増加する必要もなく、組み立て時の作業も複雑にならずに、本発明の構成を実現でき、防振効果を実現することができる。
【００３７】
さらに、打撃時の振動を発射レール１４に伝えにくくするための構成としては、発射レール１４と取付板１５との間に隙間２４を設ける上記第一〜第三実施形態の構成の他、発射レール１４と取付板１５との間に振動吸収部材を設けるようにしてもよい。このような第四実施形態について、図９及び図１０を参照して説明する。図９は、第四実施形態の発射ユニット１１の分解斜視図である。図１０は、第四実施形態の発射ユニット１１の平面図である。
【００３８】
図９に示すように、発射ユニット１１の全体の構成は上記第一の実施形態と略同様である。そして、ボス部２０と発射レール１４との間には、振動吸収部材２５が設けられている。この振動吸収部材２５は、ゴムやシリコン、スポンジ等の振動を吸収する性質を有する弾性体等を好適に用いることができる。周知の粘着テープ等でもよい。
【００３９】
また、振動吸収部材２５には、発射レール１４の孔部と対応する位置に略同一の形状の孔部２６が設けられている。ボス部２０を発射レール１４の孔部に挿入する前に、ボス部２０を孔部２６に挿入し、振動吸収部材２５を取付板１５に密着させてから、ボス部２０を発射レール１４の孔部に挿入し、ねじ孔１９からボス部２０の固定孔２１にビス２３を締着させる。すると、図１０に示すように、発射レール１４と取付板１５との間に振動吸収部材２５が配置される。
【００４０】
従って、遊技球が弾球槌１２により打撃された際の振動の大部分は、発射レール１４に伝わる前に振動吸収部材２５に吸収される。従って、発射レール１４に伝えられる振動により弾球のぶれが出ることが少なくなり、遊技球の飛び精度を高精度で実現することができるので、信頼度の高いパチンコ機１を提供することができる。また、第四実施形態では、粘着テープなどの周知の材料を用いて簡単に本発明の構成を実現でき、防振効果を実現することができる。
【図面の簡単な説明】
【００４１】
【図１】パチンコ機１の正面図である。
【図２】上皿扉を開放したパチンコ機１の発射装置周辺を拡大した正面図である。
【図３】発射ユニット１１の分解斜視図である。
【図４】発射ユニット１１の平面図である。
【図５】第二実施形態の発射ユニット１１の分解斜視図である。
【図６】第二実施形態の発射ユニット１１の平面図である。
【図７】第三実施形態の発射ユニット１１の分解斜視図である。
【図８】第三実施形態の発射ユニット１１の平面図である。
【図９】第四実施形態の発射ユニット１１の分解斜視図である。
【図１０】第四実施形態の発射ユニット１１の平面図である。
【符号の説明】
【００４２】
１      パチンコ機
１０      遊技領域
１１      発射ユニット
１２      弾球槌
１３      発射モータ
１４      発射レール
１５      取付板
１９      ねじ孔（係合孔）
２０      ボス部
２１      固定孔
２２      ワッシャ
２３      ビス
２４      隙間
２５      振動吸収部材
２６      孔部
２７      窓部
【図１】
2006296733.tif 000003
【図２】
2006296733.tif 000004
【図３】
2006296733.tif 000005
【図４】
2006296733.tif 000006
【図５】
2006296733.tif 000007
【図６】
2006296733.tif 000008
【図７】
2006296733.tif 000009
【図８】
2006296733.tif 000010
【図９】
2006296733.tif 000011
【図１０】
2006296733.tif 000012